(57)【要約】【課題】本発明の実施形態が解決しようとする課題は、ＨＭＩが感知不可能な状態入力信号を、ＨＭＩが感知可能な状態入力信号に設定するゲートウェイ装置を提供することである。【解決手段】実施形態のゲートウェイ装置は、一つ以上の設備機器に対する制御を実行するための一つ以上のコントローラが接続される第１のネットワークと、制御を送信する一つ以上のＨＭＩが接続される第２のネットワークとの境界に位置するゲートウェイ装置であって、取得部、設定部を備える。取得部は、前記設備機器の現在の状態である状態入力信号を取得する。設定部は、状態入力信号がＨＭＩの感知不可能な信号の場合、ＨＭＩの感知可能な信号を設定する。【選択図】  図１
2018026674.tif 000002
【特許請求の範囲】
【請求項１】
１つ以上の設備機器に対する制御をするための１つ以上のコントローラが接続される第
１のネットワークと、制御を送信する１つ以上のＨＭＩが接続される第２のネットワーク
との境界に位置するゲートウェイ装置であって、
前記設備機器の現在の状態である状態入力信号を取得する取得部と、
前記状態入力信号が前記ＨＭＩの感知不可能な信号の場合、前記ＨＭＩの感知可能な信
号を設定する設定部と、
を備えるゲートウェイ装置。
【請求項２】
前記状態入力信号が異常を示す信号である
請求項１に記載のゲートウェイ装置。
【請求項３】
１つ以上の設備機器に対する制御をするための１つ以上のコントローラと、
前記設備機器への制御を送信する１つ以上のＨＭＩと、
前記コントローラが接続される第１のネットワークと、前記ＨＭＩが接続される第２の
ネットワークとの境界に位置するゲートウェイ装置と、
を備え、
前記コントローラは、
前記設備機器の現在の状態である状態入力信号を取得し、異常であるかを判断し、
前記ゲートウェイ装置は、
前記状態入力信号を取得する取得部と、
取得する前記状態入力信号が、ＨＭＩの感知不可能な、異常を示す信号の場合、ＨＭＩ
の感知可能な、異常を示す信号を設定する設定部と、
を備える異常監視システム。
【請求項４】
前記ＨＭＩは、前記設備機器の異常を感知するとアラームを発する
請求項３に記載の異常監視システム。
【請求項５】
１つ以上の設備機器に対する制御をするための１つ以上のコントローラが接続される第
１のネットワークと、制御を送信する１つ以上のＨＭＩが接続される第２のネットワーク
との境界に位置するゲートウェイ装置を、
前記設備機器の現在の状態である状態入力信号を取得する取得手段と、
取得する前記状態入力信号がＨＭＩの感知不可能な信号の場合、ＨＭＩの感知可能な信
号を設定する設定手段と、
して機能させるための異常監視プログラム。
【請求項６】
１つ以上の設備機器に対する制御をするための１つ以上のコントローラが接続される第
１のネットワークと、制御を送信する１つ以上のＨＭＩが接続される第２のネットワーク
との境界に位置するゲートウェイ装置を用いて、
前記設備機器の現在の状態である状態入力信号を取得するステップと、
取得する前記状態入力信号がＨＭＩの感知不可能な信号の場合、ＨＭＩの感知可能な信
号を設定するステップと、
を実行する異常監視方法。
【発明の詳細な説明】
【技術分野】
【０００１】
本発明の実施形態は、ゲートウェイ装置、異常監視システム、異常監視プログラム、及
び異常監視方法に関する。
【背景技術】
【０００２】
オフィスビル等の電力を監視するためのシステムにおいて、中央監視装置であるＨＭＩ
（ヒューマンマシンインターフェース）は、多くの設備機器の使用状況の監視あるいは制
御を行っている。新しいシステムの導入のため、設備機器を制御するコントローラは更新
せず、ＨＭＩのみ新しい装置へ更新する場合がある。
【０００３】
既設のコントローラと新設のＨＭＩの通信プロトコルが異なる場合、通信プロトコルの
変換を行うゲートウェイ装置が必要となる。しかし、機能の統一ができていなかった。そ
の機能の一つに、異常監視機能があげられる。
【０００４】
異常監視機能とは、コントローラから取得する、設備機器の現在の状態を示す状態入力
信号のうち、異常を示す状態入力信号を、ＨＭＩに伝送する機能である。既設のＨＭＩで
は異常を感知できても、新設のＨＭＩでは、伝送形態により、異常を感知できない場合が
あった。
【０００５】
そのため、コントローラによって、設備機器の状態が異常であることをＨＭＩに伝送で
きない場合があった。異常であることをＨＭＩに伝送できないと、異常が発生している際
に発するアラーム等が鳴らず、その異常の対処が遅れてしまうという問題があった。
【先行技術文献】
【特許文献】
【０００６】
【特許文献１】特開２００９―２３９４７８号公報
【発明の概要】
【発明が解決しようとする課題】
【０００７】
伝送形態によらず、設備機器の異常をＨＭＩで監視することが要求されており、この要
求に対応できる装置が望まれている。
【０００８】
本発明の実施形態が解決しようとする課題は、ＨＭＩが感知不可能な状態入力信号を、
ＨＭＩが感知可能な状態入力信号に設定するゲートウェイ装置を提供することである。
【課題を解決するための手段】
【０００９】
上記課題を解決するために、実施形態のゲートウェイ装置は、一つ以上の設備機器に対
する制御を実行するための一つ以上のコントローラが接続される第１のネットワークと、
制御を送信する一つ以上のＨＭＩが接続される第２のネットワークとの境界に位置するゲ
ートウェイ装置であって、取得部、設定部を備える。取得部は、前記設備機器の現在の状
態である状態入力信号を取得する。設定部は、状態入力信号がＨＭＩの感知不可能な信号
の場合、ＨＭＩの感知可能な信号を設定する。
【図面の簡単な説明】
【００１０】
【図１】本発明の実施形態に係るゲートウェイ装置のシステム構成の具体例を示す図である。
【図２】本発明の実施形態に係るゲートウェイ装置の機能の構成図である。
【図３】本発明の実施形態に係るゲートウェイ装置の運用に関するフローチャートである。
【発明を実施するための形態】
【００１１】
以下、図面を参照して発明を実施するための実施形態について説明する。
【００１２】
（実施形態）
（構成）
図１に本実施形態に係るゲートウェイ装置の全体の異常監視システムの構成の具体例を
示す。異常監視システムは、例えば、新設ＨＭＩ（ヒューマンマシンインターフェース）
２、ゲートウェイ装置１、コントローラ３１〜３３を備える。既設ＨＭＩ５、コントロー
ラ３１〜３３、及び設備機器４１〜４３は既設で、新設ＨＭＩ２及びゲートウェイ装置１
が新設される。
【００１３】
ビルの中央監視室等に設置される既設ＨＭＩ５は、空調機器や照明設備などの設備機器
４１〜４３を制御する信号をコントローラ３１〜３３に送信する。また、設備機器４１〜
４３の状態をコントローラ３１〜３３から受信する。その際使用されるネットワークが第
１のネットワークである。
【００１４】
ビルの中央監視室等に設置される新設ＨＭＩ２は、空調機器や照明設備などの設備機器
４１〜４３を制御する命令を、ゲートウェイ装置１に送信する。また、設備機器４１〜４
３の状態をゲートウェイ装置１から受信する。その際使用されるネットワークが第２のネ
ットワークである。
【００１５】
ゲートウェイ装置１は、コントローラ３１〜３３及び新設ＨＭＩ２と通信を行う。コン
トローラ３１〜３３と通信する際に使用されるネットワークが第１のネットワークである
。新設ＨＭＩ２と通信する際に使用されるネットワークが第２のネットワークである。ゲ
ートウェイ装置１は、第１のネットワークと第２のネットワークの境界に位置する。ただ
し、第１のネットワークと第２のネットワークの通信プロトコルは、同一でも異なってい
てもよい。
【００１６】
コントローラ３１〜３３は、設備機器４１〜４３と通信し、各設備機器を制御する。コ
ントローラ３１〜３３は、各設備機器の制御をするための制御出力信号を設備機器４１〜
４３に送信し、また設備機器の現在の状態である状態入力信号を設備機器４１〜４３から
受信する。また、コントローラ３１〜３３は、状態入力信号が異常値か否かを判断する。
異常値の場合、異常として、上位デバイスに送信する。
【００１７】
図２に、ゲートウェイ装置１の構成図の例を示す。ゲートウェイ装置１は、取得部１１
、記憶部１２、出力部１３、判断部１４、設定部１５を備える。
【００１８】
取得部１１は、コントローラ３１〜３３から設備機器４１〜４３の現在の状態である状
態入力信号を取得する。状態入力信号とは、例えば、湿度や温度の現在値、設備機器のＯ
ＮまたはＯＦＦなどの情報、あるいは異常を示す情報を含む信号である。
【００１９】
記憶部１２は、新設ＨＭＩ２で感知可能な状態入力信号を記憶する。新設ＨＭＩ２で感
知可能な状態入力信号とは、新設ＨＭＩ２が感知し、処理を行える信号である。例えば、
コントローラ３１〜３３の設定により、設備機器４１〜４３の状態が異常であることを示
す信号が複数ある場合、新設ＨＭＩ２で感知可能な状態入力信号とは、異常であることを
新設ＨＭＩ２が感知できる信号である。
【００２０】
出力部１３は、コントローラ３１〜３３からの状態入力信号を新設ＨＭＩ２へ出力する
。出力する際、出力部１３は、新設ＨＭＩ２で感知可能な状態入力信号を新設ＨＭＩ２へ
出力する。例えば、コントローラ３１〜３３からの状態入力信号が異常を示す場合、新設
ＨＭＩ２で感知可能な異常を示す状態入力信号を新設ＨＭＩ２へ出力する。
【００２１】
判断部１４は、コントローラ３１〜３３からの状態入力信号が、新設ＨＭＩ２で感知可
能か否かを判断する。つまり、コントローラ３１〜３３からの状態入力信号が、記憶部１
２で記憶する、新設ＨＭＩ２で感知可能な状態入力信号か否かを判断する。
【００２２】
例えば、状態入力信号に工学値及びＦＡＵＬＴビットの２種類があり、新設ＨＭＩ２が
工学値で出力される異常を示す信号の一部を感知できない場合、判断部１４は、コントロ
ーラ３１〜３３からの状態入力信号が異常を示す状態入力信号であるか、状態入力信号が
工学値であるか、及び状態入力信号が新設ＨＭＩ２で感知できない工学値であるか否か等
を判断する。
【００２３】
判断部１４において、状態入力信号が新設ＨＭＩ２で感知不可能と判断される場合、設
定部１５は、記憶部１２で記憶される、新設ＨＭＩ２で感知可能な状態入力信号を設定す
る。
【００２４】
（作用）
図３に本実施形態に係るゲートウェイ装置１の運用に関するフローチャートを示す。図
３のフローチャートは、新設ＨＭＩ２からゲートウェイ装置１及びコントローラ３１〜３
３を通し、設備機器４１〜４３の制御をさせる制御出力信号を設備機器４１〜４３に出力
した後、あるいは、既設ＨＭＩ５からコントローラ３１〜３３を通し、制御出力信号を設
備機器４１〜４３に出力した後、設備機器４１〜４３の状態である状態入力信号を、ゲー
トウェイ装置１を通し、新設ＨＭＩ２へ入力するときのフローチャートである。
【００２５】
状態入力信号は、コントローラ３１〜３３で異常値か否かを判断され、異常値の場合、
異常として上位デバイスである既設ＨＭＩ５あるいはゲートウェイ装置１に送信される。
図３は、ゲートウェイ装置１に送信されたその状態入力信号が、新設ＨＭＩ２に出力され
るまでのフローチャートを示している。
【００２６】
まず、取得部１１がコントローラ３１〜３３から状態入力信号を取得する（Ｓ１１）。
取得する状態入力信号は、たとえば設備機器４１〜４３の状態が異常であること、湿度、
温度、運転しているか否かなどの情報を伝える信号である。
【００２７】
次に、判断部１４が、コントローラからの状態入力信号が新設ＨＭＩ２で感知可能か否
かを判断する（Ｓ１２）。具体的な方法は、コントローラ３１〜３３からの状態入力信号
が、記憶部１２で記憶される、新設ＨＭＩ２で感知可能な状態入力信号と同じか否かを判
断する。
【００２８】
（ｉ）状態入力信号が新設ＨＭＩ２で感知不可能な場合（Ｓ１２でＮｏ）
【００２９】
その後、状態入力信号が新設ＨＭＩ２で感知不可能な場合、設定部１５が、コントロー
ラ３１〜３３からの状態入力信号を、新設ＨＭＩ２の感知可能な状態入力信号に設定する
（Ｓ１３）。設定される状態入力信号は、記憶部１２に記憶される、新設ＨＭＩ２の感知
可能な状態入力信号である。
【００３０】
そして、出力部１３が、設定される新設ＨＭＩ２の感知可能な状態入力信号を新設ＨＭ
Ｉ２に出力する（Ｓ１４）。出力後、新設ＨＭＩ２では、異常を感知するため、異常を知
らせるアラームを発することができる。
【００３１】
（ｉｉ）状態入力信号が新設ＨＭＩ２で感知可能な場合（Ｓ１２でＹｅｓ）
【００３２】
一方、状態入力信号が新設ＨＭＩ２で感知可能な場合、出力部１３は、コントローラ３
１〜３３からの状態入力信号を、新設ＨＭＩ２にそのまま出力する（Ｓ１５）。
【００３３】
（効果）
本実施形態のゲートウェイ装置によれば、伝送形態に関わらず、設備機器の異常をＨＭ
Ｉで監視することできる。それにより、ＨＭＩで異常をもれなく感知できるため、アラー
ム等で異常を知らせることもできる。
【００３４】
また、本実施形態に係る機能を、コントローラではなくゲートウェイ装置に設けること
により、エンジニアリング作業及び工数を削減することができる。
【００３５】
ただし、本実施形態に係るゲートウェイ装置１及び新設ＨＭＩ２を新設しても、既設Ｈ
ＭＩ５の機能は損ねない。つまり、既設ＨＭＩ５では、従来通りコントローラ３１〜３３
からの状態入力信号を監視することができる。
【００３６】
また、既設ＨＭＩ５がなくても本実施形態のシステムは機能する。つまり、異常を示す
情報を新設ＨＭＩ２で感知できない場合、かつコントローラ３１〜３３の設定を変更する
のは大変な場合、本実施形態に係るゲートウェイ装置１を導入することにより、新設ＨＭ
Ｉ２で異常を示す情報を感知できるシステムをより簡単に構築することができる。
【００３７】
また、本実施形態に係る異常監視システムにおける既設ＨＭＩ５は、設備機器４１〜４
３を制御する制御出力信号を、コントローラ３１〜３３に送信しなくてもよい。つまり、
制御出力信号を出力するのは新設ＨＭＩ２のみにし、既設ＨＭＩ５は、設備機器４１〜４
３の状態である状態入力信号を取得するために使用してもよい。
【００３８】
また、本実施形態に係る異常監視システムは、図１に記載する構成以外の構成を含んで
いてもよい。また、設備機器及びコントローラは３個に限らず、１つ以上接続することが
できる。また、コントローラと設備機器との関係は１対１に限らず、１つのコントローラ
に複数の設備機器が接続されていてもよい。
【００３９】
また、本実施形態に係る記憶部１２は、ゲートウェイ装置１が備えてもよいし、クラウ
ド上にあってもよい。
【００４０】
また、本実施形態に係る異常監視機能について、本実施形態のようにゲートウェイ装置
が備えてもよいし、各コントローラが備えてもよい。
【００４１】
また、本実施形態に係る状態入力信号は、デジタル信号でもアナログ信号でもよい。例
えば、設備機器が空調の場合、制御出力信号及び状態入力信号は、ＯＮあるいはＯＦＦの
ようなデジタル信号でもよいし、２４度などの温度の情報のようなアナログ信号でもよい
。
【００４２】
また、本実施形態に係る状態入力信号は、設備機器からの信号でもよいし、設備機器周
辺のセンサからの情報でもよい。
【００４３】
本発明のいくつかの実施形態を説明したが、これらの実施形態は、例として提示したも
のであり、発明の範囲を限定することは意図していない。これら新規な実施形態は、その
他の様々な形態で実施されることが可能であり、発明の要旨を逸脱しない範囲で、種々の
省略、置き換え、変更を行うことができる。これら実施形態やその変形は、発明の範囲や
要旨に含まれるとともに、特許請求の範囲に記載された発明とその均等の範囲に含まれる
。
【符号の説明】
【００４４】
１    ゲートウェイ装置
１１  取得部
１２  記憶部
１３  出力部
１４  判断部
１５  設定部
２    新設ＨＭＩ（ヒューマンマシンインターフェース）
３１〜３３    コントローラ
４１〜４３  設備機器
５    既設ＨＭＩ（ヒューマンマシンインターフェース）
【図１】
2018026674.tif 000003
【図２】
2018026674.tif 000004
【図３】
2018026674.tif 000005